(57)【要約】【課題】人工肺に流入した気泡を、簡単な操作で確実に除去することができる人工肺ホルダを提供すること。【解決手段】人工肺ホルダ１は、人工肺２０と血液ポンプ３０とを保持するホルダ本体２と、ホルダ本体２を人工肺２０および血液ポンプ３０ごと加振する加振手段とを備え、加振手段は、ホルダ本体２を回動可能に支持する回動支持部５を有する。この回動支持部５は、その回動中心軸が水平方向に沿い、ホルダ本体２に保持された人工肺は、その中心軸が回動中心軸と同様に水平方向に沿って回動中心軸と平行になっている。そして、人工肺２０の内部において、血液またはプライミング液とともに流入した気泡を、回動支持部５の回動中心軸回りの回動による加振によって、離脱させることができる。【選択図】図１
2014176708.tif 000002
【特許請求の範囲】
【請求項１】
外形形状が円柱状をなす人工肺を保持する人工肺保持部と、該人工肺保持部に保持された前記人工肺にチューブを介して接続され、血液を送液する、外形形状が円柱状をなす血液ポンプを保持するポンプ保持部とを有するホルダ本体と、
前記ホルダ本体を、前記人工肺保持部に保持された前記人工肺、前記ポンプ保持部に保持された前記血液ポンプごと加振する加振手段とを備え、
前記加振手段は、前記ホルダ本体を回動可能に支持する回動支持部を有し、
前記回動支持部は、その回動中心軸が水平方向に沿い、前記人工肺保持部に保持された前記人工肺は、その中心軸が前記回動中心軸と同様に水平方向に沿って該回動中心軸と平行になっており、
前記人工肺の内部において、血液またはプライミング液とともに流入した気泡を、前記回動支持部の前記回動中心軸回りの回動による加振によって、離脱させるよう構成されていることを特徴とする人工肺ホルダ。
【請求項２】
前記加振が行われた際、前記血液ポンプは、その内部において、血液またはプライミング液とともに流入した気泡が離脱する請求項１に記載の人工肺ホルダ。
【請求項３】
前記回動支持部の回動角度は、±１８０度以内である請求項１または２に記載の人工肺ホルダ。
【請求項４】
前記加振手段は、前記ホルダ本体を変位させて、前記人工肺保持部に保持された前記人工肺を加振するとともに、前記ポンプ保持部に保持された前記血液ポンプを加振する加振操作を行なう操作部を有し、
前記操作部は、手動により操作される請求項１ないし３のいずれか１項に記載の人工肺ホルダ。
【請求項５】
前記ポンプ保持部は、前記血液ポンプを、前記人工肺保持部に保持された前記人工肺に対して血流の上流側に保持する請求項１ないし４のいずれか１項に記載の人工肺ホルダ。
【請求項６】
前記人工肺保持部と前記ポンプ保持部とは、一体的に形成または連結された１つの部材として構成され、前記ホルダ本体に対し着脱自在となっている請求項１ないし５のいずれか１項に記載の人工肺ホルダ。
【請求項７】
前記ホルダ本体が回動して停止した際、その停止した状態を維持するロック手段を備える請求項１ないし６のいずれか１項に記載の人工肺ホルダ。
【発明の詳細な説明】
【技術分野】
【０００１】
本発明は、人工肺ホルダに関する。
【背景技術】
【０００２】
心臓手術における血液体外循環回路としては、リザーバ（貯血槽）と、人工肺と、脱血ラインと、送血ラインと、吸引ラインとを備え、これらがボードに配置、固定されたものがある（例えば、特許文献１参照）。この特許文献１に記載の血液体外循環回路では、血液の体外循環を開始するのに先立って、当該回路内をプライミング液で満たすプライミングを行なう。
【０００３】
しかしながら、特許文献１に記載の血液体外循環回路では、プライミングを行なうと、プライミング液中に気泡が混入してしまい、その気泡が人工肺内に流入し、容易には人工肺から除去されない。このため、人工肺まで十分にプライミングするのに時間が多く費やされてしまい、血液体外循環を迅速に行なうのが困難となるという問題があった。
【先行技術文献】
【特許文献】
【０００４】
【特許文献１】特開２００３−２９９７２９号公報
【発明の概要】
【発明が解決しようとする課題】
【０００５】
本発明の目的は、人工肺に流入した気泡を、簡単な操作で確実に除去することができる人工肺ホルダを提供することにある。
【課題を解決するための手段】
【０００６】
このような目的は、下記（１）〜（７）の本発明により達成される。
（１）  外形形状が円柱状をなす人工肺を保持する人工肺保持部と、該人工肺保持部に保持された前記人工肺にチューブを介して接続され、血液を送液する、外形形状が円柱状をなす血液ポンプを保持するポンプ保持部とを有するホルダ本体と、
前記ホルダ本体を、前記人工肺保持部に保持された前記人工肺、前記ポンプ保持部に保持された前記血液ポンプごと加振する加振手段とを備え、
前記加振手段は、前記ホルダ本体を回動可能に支持する回動支持部を有し、
前記回動支持部は、その回動中心軸が水平方向に沿い、前記人工肺保持部に保持された前記人工肺は、その中心軸が前記回動中心軸と同様に水平方向に沿って該回動中心軸と平行になっており、
前記人工肺の内部において、血液またはプライミング液とともに流入した気泡を、前記回動支持部の前記回動中心軸回りの回動による加振によって、離脱させるよう構成されていることを特徴とする人工肺ホルダ。
【０００７】
（２）  前記加振が行われた際、前記血液ポンプは、その内部において、血液またはプライミング液とともに流入した気泡が離脱する上記（１）に記載の人工肺ホルダ。
【０００８】
（３）  前記回動支持部の回動角度は、±１８０度以内である上記（１）または（２）に記載の人工肺ホルダ。
【０００９】
（４）  前記加振手段は、前記ホルダ本体を変位させて、前記人工肺保持部に保持された前記人工肺を加振するとともに、前記ポンプ保持部に保持された前記血液ポンプを加振する加振操作を行なう操作部を有し、
前記操作部は、手動により操作される上記（１）ないし（３）のいずれかに記載の人工肺ホルダ。
【００１０】
（５）  前記ポンプ保持部は、前記血液ポンプを、前記人工肺保持部に保持された前記人工肺に対して血流の上流側に保持する上記（１）ないし（４）のいずれかに記載の人工肺ホルダ。
【００１１】
（６）  前記人工肺保持部と前記ポンプ保持部とは、一体的に形成または連結された１つの部材として構成され、前記ホルダ本体に対し着脱自在となっている上記（１）ないし（５）のいずれかに記載の人工肺ホルダ。
【００１２】
（７）  前記ホルダ本体が回動して停止した際、その停止した状態を維持するロック手段を備える上記（１）ないし（６）のいずれかに記載の人工肺ホルダ。
【発明の効果】
【００１３】
本発明によれば、ホルダ本体を人工肺ごと例えば回動するという簡単な操作で、当該人工肺に流入した気泡を実に除去することができる。これにより、例えば、人工肺を十分にプライミングするのに要する時間を短縮することができる。
【図面の簡単な説明】
【００１４】
【図１】本発明の人工肺ホルダの実施形態を示す斜視図である。
【図２】本発明の人工肺ホルダの実施形態を示す斜視図である。
【図３】図１に示す人工肺ホルダを操作したときの斜視図である。
【図４】図１に示す人工肺ホルダを操作したときの斜視図である。
【図５】図１に示す人工肺ホルダの分解斜視図である。
【図６】図５中のＡ−Ａ線断面図である。
【図７】図１に示す人工肺ホルダに保持された人工肺の部分縦断面図である。
【図８】図７中の一点鎖線で囲まれた領域［Ｂ］の拡大詳細図である。
【発明を実施するための形態】
【００１５】
以下、本発明の人工肺ホルダを添付図面に示す好適な実施形態に基づいて詳細に説明する。
【００１６】
図１および図２は、それぞれ、本発明の人工肺ホルダの実施形態を示す斜視図、図３および図４は、それぞれ、図１に示す人工肺ホルダを操作したときの斜視図、図５は、図１に示す人工肺ホルダの分解斜視図、図６は、図５中のＡ−Ａ線断面図、図７は、図１に示す人工肺ホルダに保持された人工肺の部分縦断面図、図８は、図７中の一点鎖線で囲まれた領域［Ｂ］の拡大詳細図である。なお、以下では、説明の都合上、図１〜図５中の上側を「上」または「上方」、下側を「下」または「下方」と言う。
【００１７】
図１〜図５に示す人工肺ホルダ１は、人工肺２０と血液ポンプ３０とを保持するものである。人工肺２０と血液ポンプ３０とを保持した人工肺ホルダ１は、例えば、体外循環回路（図示せず）に組み込まれ、血液ポンプ３０で血液を送液し、人工肺２０で血液に対しガス交換を行うことができる。
【００１８】
人工肺ホルダ１について説明する前に、人工肺２０および血液ポンプ３０についてそれぞれ説明する。
【００１９】
図１、図３〜図５、図７に示すように、人工肺２０は、その外形形状が円柱状をなすものであり、ハウジング２０１と、ハウジング２０１内に収納された円筒状の中空糸膜束２０２とを有している。
【００２０】
ハウジング２０１は、両端が閉塞した筒状をなすものである。このハウジング２０１には、血液が流入する血液流入ポート２０３と、血液が流出する血液流出ポート２０４と、ガス（酸素を含む気体）が流入するガス流入ポート２０５と、ガスが排出されるガス排出ポート２０６とが設けられている（図７参照）。血液流入ポート２０３は、ハウジング２０１の一端部に突出した管状の部分である。血液流出ポート２０４は、ハウジング２０１の外周部にその接線方向に突出した管状の部分である。ガス流入ポート２０５は、ハウジング２０１の他端部に突出した管状の部分である。ガス排出ポート２０６は、ハウジング２０１の外周部にその中心軸２０７を介して血液流出ポート２０４と反対側に配置され、血液流出ポート２０４と反対方向に突出した管状の部分である。
【００２１】
なお、ハウジング２０１は、その内部の視認性を確保するために実質的に透明となっている。これにより、例えば、ハウジング２０１中に気泡が溜まっているか否かを目視する（確認する）ことができる。
【００２２】
図８に示すように、ハウジング２０１には、円筒状の中空糸膜束２０２が同心的に配置、収納されている。また、中空糸膜束２０２の外周面とハウジング２０１の内周面とは、離間している。すなわち、中空糸膜束２０２の外周面とハウジング２０１の内周面との間には、間隙２０９が形成されている。
【００２３】
中空糸膜束２０２は、ガス交換機能を有する中空糸膜２０２ａが多数本集積されたものである。この中空糸膜束２０２を構成する中空糸膜２０２ａは、そのほとんどがハウジング２０１の中心軸２０７とほぼ平行に配置されている。各中空糸膜２０２ａの両端部（一端部および他端部）は、それぞれ、隔壁２０８によりハウジング２０１の内面に対し固定されている。また、各中空糸膜２０２ａの隔壁２０８で固定されていない部分は、それぞれ、露出しており、各中空糸膜２０２ａの外側、すなわち、中空糸膜２０２ａ同士の隙間に、血液が図８中下側から上側に（ハウジング２０１の中心軸２０７側から外周側に）向かって流れる血液流路２０２ｂが形成されている。
【００２４】
血液流入ポート２０３から流入した血液は、血液流路２０２ｂを下流方向に向かって流れる。一方、ガス流入ポート２０５から供給されたガスは、各中空糸膜２０２ａの内腔であるガス流路２０２ｃに分配され、該ガス流路２０２ｃを流れた後、ガス排出ポート２０６より排出される。血液流路２０２ｂを流れる血液は、各中空糸膜２０２ａの表面に接触し、ガス流路２０２ｃを流れるガスとの間でガス交換（酸素加、脱炭酸ガス）がなされる。そして、ガス交換がなされた血液は、血液流出ポート２０４から排出される。
【００２５】
なお、中空糸膜２０２ａの構成材料としては、例えば、ポリプロピレン、ポリエチレン、ポリスルホン、ポリアクリロニトリル、ポリテトラフルオロエチレン、ポリメチルペンテン等の疎水性高分子材料が用いられる。
【００２６】
図１、図３および図４に示すように、血液ポンプ３０は、人工肺２０にチューブ４０を介して接続されている。血液ポンプ３０としては、例えば、遠心ポンプを好適に用いることができる。この血液ポンプ３０は、ポンプ本体３０１と、ポンプ本体３０１に装着されるヘッド部（ポンプヘッド）３０２とで構成されている。
【００２７】
ポンプ本体３０１は、その外形形状が円柱状をなし、内部に、血液を移送するための各種部品（例えばモータ等）が内蔵されている。
【００２８】
ポンプ本体３０１には、ヘッド部３０２が装着される。ヘッド部３０２は、その外形形状が円盤状をなし、外周部に、血液が流出する管状の血液流出ポート３０４が突出して設けられている。この血液流出ポート３０４は、ヘッド部３０２の外周部の接線方向で、人工肺２０側に向かって突出している。また、ヘッド部３０２の中心部には、血液が流入する管状の血液流入ポート３０３が突出して設けられている。
【００２９】
チューブ４０は、血液ポンプ３０の血液流出ポート３０４と、人工肺２０の血液流入ポート２０３とを接続している。このチューブ４０を介して、血液は、血液ポンプ３０から人工肺２０に移送される。
【００３０】
ところで、前記体外循環回路では、血液の体外循環を開始するのに先立って、当該回路内をプライミング液（例えば生理食塩水）で満たすプライミングを行なう。このとき、プライミング液中に気泡が混入してしまうことがある。そして、その気泡は、プライミング液とともに人工肺２０内に流入し、人工肺２０の血液流路２０２ｂを通過する際、中空糸膜２０２ａを介して（通過して）排出されるものと、排出されずにそのまま下流側へ流れてしまうものとがある。下流側へ流れてしまった気泡は、中空糸膜束２０２の外周面とハウジング２０１の内周面との間に形成された間隙２０９に留まることとなる。この間隙２０９に留まった気泡は、それ以上は下流側には流れ難い状態となっている。そこで、このように人工肺２０内に残留した気泡の除去、すなわち、人工肺２０内において付着した気泡の離脱を促進するのに、人工肺ホルダ１が用いられる。
【００３１】
次に、人工肺ホルダ１について説明する。
図１〜図５に示す人工肺ホルダ１は、ホルダ本体２と、ホルダ本体２を支柱（ポール）５００に対し着脱自在に装着可能な装着部４と、ホルダ本体２を回動可能（変位可能）に支持する回動支持部５と、ホルダ本体２を回動操作する操作部６とを備えている。以下、各部の構成について説明する。なお、人工肺ホルダ１を構成する各部の構成材料としては、特に限定されず、例えば、ポリエチレン、ポリプロピレン等のポリオレフィン、エステル系樹脂（例えば、ポリエチレンテレフタレート、ポリブチレンテレフタレート等のポリエステル）、スチレン系樹脂（例えば、ポリスチレン、ＭＳ樹脂、ＭＢＳ樹脂）、ポリカーボネート等の樹脂材料あるいは種々のセラミックス材料、金属材料等が挙げられる。
【００３２】
図５に示すように、ホルダ本体２は、基板２１と、基板２１に対し着脱自在に装着される連結部材３とを有している。
【００３３】
基板２１は、水平方向に長い長尺状をなすものである。
基板２１には、その表側の面２１１から壁部２２が立設している。壁部２２には、その上面および下面に開口する、すなわち、幅方向（図中上下方向）に貫通する中空部（溝）２２１が形成されている。そして、中空部２２１には、基板２１の裏側から、後述する回動支持部５の支持板５１が挿入される。また、壁部２２は、その厚さ方向に貫通する軸受け２２２が形成されている。この軸受け２２２には、後述する回動支持部５の軸部材５２が挿入される。
【００３４】
また、基板２１の表側の面２１１の上部には、連結部材３と係合する係合片２３が突出して設けられている。
【００３５】
図５に示すように、連結部材３は、その全体形状がクランク状をなす板部材で構成されている。連結部材３は、その両側にそれぞれ、人工肺２０を保持する人工肺保持部３１と、血液ポンプ３０を保持するポンプ保持部３２とを有している。これにより、連結部材３を介して、人工肺２０と血液ポンプ３０とが連結され、互いの位置関係が規制される。
【００３６】
人工肺保持部３１は、突出形成された複数（図５に示す構成では４つ）の爪３１１で構成されている。各爪３１１は、それぞれ、人工肺２０の外周部に設けられた係合部（図示せず）と係合することができる。これにより、人工肺２０が人工肺保持部３１に確実に保持される。
【００３７】
ポンプ保持部３２は、円環状をなす部分である。このような形状のポンプ保持部３２に血液ポンプ３０が嵌合することができ、よって、当該血液ポンプ３０に対する保持が確実なものとなる。
【００３８】
なお、人工肺保持部３１とポンプ保持部３２とは、各保持部を一体的に形成して１つの部材としたものであるが、これに限定されず、例えば、各保持部をそれぞれ別体で構成し、別体同士を連結して１つの部材としたものであってもよい。
【００３９】
また、連結部材３の途中には、その上部に、基板２１の係合片２３が挿入され、係合する係合孔３３が形成されている。これにより、連結部材３は、人工肺２０および血液ポンプ３０を一括して保持した状態で、基板２１に対し着脱することができる。
【００４０】
また、連結部材３の係合孔３３の近傍には、当該連結部材３を基板２１に対し着脱する際に把持される把持部（ハンドル）３４が設けられている。これにより、着脱操作を容易に行なうことができる。
【００４１】
図５に示すように、回動支持部５は、ホルダ本体２を回動可能に支持するものである。回動支持部５は、その本体となる支持板５１と、軸部材５２とで構成されている。
【００４２】
図６に示すように、支持板５１は、ホルダ本体２の壁部２２の中空部２２１に挿入されている。この支持板５１の厚さは、中空部２２１の厚さとほぼ同等またはそれより若干大きい。
【００４３】
また、支持板５１には、その厚さ方向に貫通する軸受け５１１が形成されている。この軸受け５１１は、ホルダ本体２の壁部２２の軸受け２２２と同じ大きさ（内径）となっており、当該軸受け２２２と同心的に配置される。
【００４４】
軸部材５２は、その外径が支持板５１の軸受け５１１（軸受け２２２）とほぼ同等またはそれより若干小さいものである。この軸部材５２は、支持板５１の軸受け５１１と、支持板５１が挿入されたホルダ本体２の壁部２２の軸受け２２２とに一括して挿通されている。
【００４５】
また、軸部材５２の両端部には、それぞれ、外径が拡径したフランジ部（拡径部）５２１が形成されている。これにより、軸部材５２が、支持板５１の軸受け５１１や、ホルダ本体２の軸受け２２２から離脱するのが確実に防止される。
【００４６】
このような構成の回動支持部５により、ホルダ本体２は、連結部材３を介して保持された人工肺２０、血液ポンプ３０ごと、当該回動支持部５（軸部材５２）の回動中心５３回りに回動することができる（図３、図４参照）。なお、この回動中心５３は、水平方向となっている。また、回動支持部５の回動角度としては、特に限定されず、例えば、±１８０度以内であるのが好ましい。
【００４７】
前述したようにプライミング時には人工肺２０内に気泡が残留するが、プライミング中にホルダ本体２を人工肺２０ごと回動操作することにより、当該人工肺２０が加振され（人工肺２０に振動が与えられ）、これに伴って、気泡も加振される。これにより、気泡は、その場（特に間隙２０９）から移動し易い状態となり、よって、人工肺２０中を流下するプライミング液とともに排出される。
【００４８】
このように、人工肺ホルダ１では、人工肺２０を回動するという簡単な操作で、人工肺２０に流入した気泡の当該人工肺２０からの除去が促進され、さらに、その気泡を確実に除去することができる。以下、このような作用を「気泡除去促進作用」と言うことがある。この気泡除去促進作用により、人工肺２０まで十分にプライミングするのに要する時間を短縮することができ、よって、プライミング工程の次の工程である、血液の体外循環に迅速に移行することができる。
【００４９】
また、図２に示すように、人工肺ホルダ１では、回動支持部５の回動中心５３と人工肺２０の中心軸２０７とが一致している（同軸的に配置される）。これにより、人工肺２０は、その中心軸２０７回りに回動することとなる。従って、人工肺２０では、その中心部分よりも外周側に近い部分ほど、振幅（回動量）が大きくなる。そして、人工肺２０で、最も振幅が大きくなる部分は、間隙２０９である。間隙２０９は、前述したように気泡が特に溜まり易い部分であるが、最も大きく振動（回動）するため、気泡がより移動し易い状態となり、その気泡の除去がさらに促進される。また、回転方向が逆転したときに、液体の慣性により、気泡を中空糸膜束２０２あるいはハウジング２０１から剥がす力が働くと言う利点がある。
【００５０】
また、前述したように、人工肺ホルダ１では、血液ポンプ３０も人工肺２０とともに回動する（加振される）。例えば、人工肺２０および血液ポンプ３０のうち、人工肺２０のみが回動し、血液ポンプ３０が回動しない場合、この回動する人工肺２０によって、チューブ４０に捩れ等の不本意な変形が生じてしまう。しかしながら、人工肺２０と血液ポンプ３０とは一括して加振されるため、チューブ４０に不本意な変形が生じるのが確実に防止される。また、血液ポンプ３０中での気泡も当該血液ポンプ３０から除去される。そして、血液ポンプ３０から除去された気泡が人工肺２０に流入するが、その気泡は、前述した気泡除去促進作用により、人工肺２０に溜まらずに除去される。
【００５１】
図１〜図５に示すうように、ホルダ本体２の基板２１には、ホルダ本体２を回動操作する（加振操作する）際に把持される操作部６が設けられている。この操作部６は、ホルダ本体２の基板２１の面２１１の下部に突出した、すなわち、回動支持部５の回動中心５３からズレた位置に配置された操作レバーである。
【００５２】
操作部６は、人工肺ホルダ１を操作する操作者が把持する棒状の把持部６１と、把持部６１の両端部とホルダ本体２の基板２１とを連結する一対のアーム６２とで構成されている。操作部６を操作するときには、把持部６１を把持して、そのまま、例えば図３に示すように手前に引張り、その後図４に示すように奥側に押し込む。このような引張りと押込とを繰り返すことにより、ホルダ本体２が回動し（往復動し）、よって、人工肺２０や血液ポンプ３０に振動が与えられる。その結果、前述したように、人工肺２０中の気泡の除去が促進される。従って、人工肺ホルダ１では、回動支持部５と操作部６とで加振手段が構成されているということができる。
【００５３】
また、図６に示すように、回動支持部５では、その支持板５１がホルダ本体２の壁部２２と当接している、すなわち、支持板５１がホルダ本体２の壁部２２に挟持されている。これにより、ホルダ本体２が回動した際には、支持板５１の各外面５１２と、各外面５１２にそれぞれ当接する壁部２２の内面２２３との間に摩擦が生じる。これにより、操作部６に対する操作を停止した際、ホルダ本体２が回動支持部５の回動中心５３に関していかなる回転角度（例えば図３や図４に示す状態）で停止したとしても、前記摩擦によって、その停止した状態が維持される。このような構成により、操作部６に対する操作を停止する際、その都度、図１に示す状態で停止させなくても済む。
【００５４】
このように、回動支持部５の支持板５１とホルダ本体２の壁部２２とは、ホルダ本体２が回動して停止した際、その停止した状態を維持するロック手段として機能する。
【００５５】
また、回動支持部５の支持板５１には、ホルダ本体２を支柱５００に対し着脱自在に装着可能な装着部４が配置されている。ここで、支柱５００とは、鉛直方向に直立したものであり、例えば、その下端部が床面に支持されている。
【００５６】
図５に示すように、装着部４は、対向する一対の挟持片４１を有している。これらの挟持片４１の間に支柱５００の途中を位置させる。また、一方の挟持片４１には、当該挟持片４１と螺合するボルト（図示せず）が設置されている。このボルトで支柱５００を他方の挟持片４１に対し押さえ付けて、ボルトと他方の挟持片４１との間で支柱５００を挟持することができる。これにより、人工肺ホルダ１（ホルダ本体２）を支柱５００に確実に装着することができる。また、人工肺ホルダ１を支柱５００から取り外すには、前記ボルトを緩めることにより、その取外し作業を行うことができる。
【００５７】
以上、本発明の人工肺ホルダを図示の実施形態について説明したが、本発明は、これに限定されるものではなく、人工肺ホルダを構成する各部は、同様の機能を発揮し得る任意の構成のものと置換することができる。また、任意の構成物が付加されていてもよい。
【００５８】
また、人工肺の中空糸膜束として、長時間の体外循環でも血漿漏出がほとんどない高耐久膜（例えばMembrana社製「Oxyplus（登録商標）」）が用いられた場合、当該膜はプライミング時に気泡が抜けにくいので、本発明は、特に有効である。
【００５９】
また、操作部に対する操作は、手動に限定されず、例えば、操作部がモータ等の動力源に連結され、当該動力源によって操作されてもよい。
【００６０】
また、回動支持部には、ホルダ本体が回動した際、その回動範囲を規制する規制部が設けられていてもよい。
【００６１】
また、回動支持部には、ホルダ本体をその回動方向の一方向に、すなわち、往復動のうちの往路または復路の方向に付勢する付勢部材（例えばバネ）が設置されていてもよい。これにより、操作部を付勢部材の付勢力が作用する方向と反対方向に操作すれば、ホルダ本体の回動が行われる。
【００６２】
また、ホルダ本体は、回動するものに限定されず、例えば、水平方向に沿った往復動（横揺れ）や、鉛直方向に沿った往復動（縦揺れ）をするものであってもよい。また、回動、水平方向に沿った往復動、鉛直方向に沿った往復動が組み合わさった変位とすることもできる。
【００６３】
また、ホルダ本体を支柱に対して装着する装着部を省略してもよい。この場合、ホルダ本体に、当該ホルダ本体を例えばテーブル等の支持台に載置可能に支持する台座を設けることができる。
【符号の説明】
【００６４】
１            人工肺ホルダ
２            ホルダ本体
２１          基板
２１１        面
２２          壁部
２２１        中空部（溝）
２２２        軸受け
２２３        内面
２３          係合片
３            連結部材
３１          人工肺保持部
３１１        爪
３２          ポンプ保持部
３３          係合孔
３４          把持部（ハンドル）
４            装着部
４１          挟持片
５            回動支持部
５１          支持板
５１１        軸受け
５１２        外面
５２          軸部材
５２１        フランジ部（拡径部）
５３          回動中心
６            操作部
６１          把持部
６２          アーム
２０          人工肺
２０１        ハウジング
２０２        中空糸膜束
２０２ａ      中空糸膜
２０２ｂ      血液流路
２０２ｃ      ガス流路
２０３        血液流入ポート
２０４        血液流出ポート
２０５        ガス流入ポート
２０６        ガス排出ポート
２０７        中心軸
２０８        隔壁
２０９        間隙
３０          血液ポンプ
３０１        ポンプ本体
３０２        ヘッド部（ポンプヘッド）
３０３        血液流入ポート
３０４        血液流出ポート
４０          チューブ
５００        支柱（ポール）
【図１】
2014176708.tif 000003
【図２】
2014176708.tif 000004
【図３】
2014176708.tif 000005
【図４】
2014176708.tif 000006
【図５】
2014176708.tif 000007
【図６】
2014176708.tif 000008
【図７】
2014176708.tif 000009
【図８】
2014176708.tif 000010